(57)【要約】      （修正有）【課題】エレベータおよびエレベータプラットフォームを安定させるためのエレベータシステムを提供する。【解決手段】建物上部に近接する上部固定部および建物底部に近接する下部固定部を有する建物と、上部固定部と下部固定部との間で張られた一定長のガイドワイヤ３と、上部固定部および下部固定部の間の一定長のガイドワイヤと建物の固定部との間で着脱可能に連結されているワイヤフィックス４とを含み、ワイヤフィックスは、ガイドワイヤが通過する溝を有し、ワイヤフィックスは、ガイドワイヤを張力緩和する必要なしに、ガイドワイヤから脱着することができる。ワイヤフィックスは、溝がガイドワイヤ周囲で開いて、ワイヤフィックスをガイドワイヤに連結しまたは脱着することができるように構成されている。【選択図】図３Ｂ
0003227044.tif 000002
【実用新案登録請求の範囲】
【請求項１】
建物上部に近接する上部固定部および前記建物底部に近接する下部固定部を有する建物と、
前記上部固定部と前記下部固定部との間で張られた一定長のガイドワイヤと、
前記上部固定部および前記下部固定部の間の前記一定長のガイドワイヤと前記建物の固定部との間で着脱可能に連結されているワイヤフィックスとを含み、
前記ワイヤフィックスは、前記ガイドワイヤが通過する溝を有し、前記ワイヤフィックスは、前記ガイドワイヤを張力緩和する必要なしに、前記ガイドワイヤから脱着することができる、
エレベータシステム。
【請求項２】
前記ワイヤフィックスは、前記溝が前記ガイドワイヤ周囲で開いて、前記ワイヤフィックスを前記ガイドワイヤに連結しまたは脱着することができるように構成されている、請求項１記載のエレベータ。
【請求項３】
前記ワイヤフィックスが、前記ワイヤフィックスを前記ガイドワイヤに連結しまたは脱着するために、前記溝を開くように分離することができる２つの半割を含む、請求項２記載のエレベータ。
【請求項４】
前記溝部が、張設ガイドワイヤを受容するために前記溝に形成された開口を有する１部品で形成されている、請求項２記載のエレベータ。
【請求項５】
前記１部品が、屈曲を有するばねで形成されており、前記屈曲が、屈曲間に前記ガイドワイヤを受容可能なピッチを有する、請求項４記載のエレベータ。
【請求項６】
前記溝が、２つの対向する部分的に開いた溝で形成されている、請求項４記載のエレベータ。
【請求項７】
前記溝部が、前記ガイドワイヤ周囲をクランプして、張設ガイドワイヤを受容するための溝を形成可能な、対向するリーフを有する１部品で形成されている、請求項２記載のエレベータ。
【請求項８】
タワーまたはビルで使用されるガイドワイヤを安定させるのに使用するためのワイヤフィックスであって、
前記ワイヤフィックスの一部分に形成され、前記ワイヤフィックスを前記ガイドワイヤに連結するように操作可能な溝であって、前記溝は、前記ガイドワイヤ周囲で開いて、前記ワイヤフィックスを前記ガイドワイヤに連結または脱着可能である、溝と、
前記ワイヤフィックスを前記タワーまたはビルに連結するのに適した、前記ワイヤフィックスの別部分に形成されている取付部とを含む、
ワイヤフィックス。
【請求項９】
前記溝が、前記ガイドワイヤ周囲で開いて、前記ワイヤフィックスを前記ガイドワイヤに連結しまたは脱着することができる、請求項８記載のワイヤフィックス。
【請求項１０】
前記溝が、前記ワイヤフィックスを前記ガイドワイヤに連結しまたは脱着するために、前記溝を開くように分離されていることができる２つの半割で形成されている、請求項９記載のワイヤフィックス。
【請求項１１】
前記溝部が、張設状態にある前記ガイドワイヤを受容するために前記溝に形成された開口を有する１部品で形成されている、請求項９記載のワイヤフィックス。
【請求項１２】
前記１部品が、屈曲を有するばねで形成されており、前記屈曲が、屈曲間に前記ガイドワイヤを受容可能なピッチを有する、請求項１１記載のワイヤフィックス。
【請求項１３】
前記溝が、２つの対向する部分的に開いた溝で形成されている、請求項１１記載のワイヤフィックス。
【請求項１４】
前記溝部が、前記ガイドワイヤ周囲をクランプして、張設状態にある前記ガイドワイヤを受容するための前記溝を形成可能な、対向するリーフを有する１部品で形成されている、請求項８記載のワイヤフィックス。
【請求項１５】
風力発生タワー中の物体の垂直運動を安定させるためのシステムであって、
少なくとも１つの静的ガイドと、
前記静的ガイドに近接させられた前記物体に取り付けられたガイド部品と、
前記静的ガイドに連結されており、前記物体が前記タワー中を垂直に運動する際に、第１の収容部を通過可能な少なくとも１つのさらなる収容部とを含み、
前記さらなる収容部は、取付構造体に対して固定された関係で前記静的ガイドを維持するように配設されており、前記さらなる収容部は、そのままの状態での取付けのために配設されている、
システム。
【請求項１６】
前記物体が、エレベータカーを含み、前記少なくとも１つのさらなる収容部が、ワイヤフィックスを含む、請求項１５記載のシステム。
【請求項１７】
建物の上部における固定部である上部固定部と前記建物の底部における固定部である下部固定部との間で張られた一定長のガイドワイヤと、
前記上部固定部および前記下部固定部の間の前記一定長のガイドワイヤと前記タワーの固定部との間で着脱可能に連結されているワイヤフィックスと、
前記ガイドワイヤに沿って上下するエレベータ昇降台に固定されるガイドシューと
を含み、
前記ガイドシューは、前記ガイドワイヤと前記ワイヤフィックスとが通過するための開口を有し、前記ガイドシューは、前記エレベータ昇降台との固定を解除する必要なしに、前記ガイドワイヤから脱着することができる、
エレベータシステム。
【請求項１８】
前記ガイドシューは複数の部品からなり、前記開口を形成する部品のうちの一部の部品を前記ガイドワイヤの周囲で分解して、前記ガイドシューを前記ガイドワイヤに連結しまたは脱着することができるように構成されている、請求項１７記載のエレベータシステム。
【請求項１９】
建物に上下に張設されたガイドワイヤにエレベータ昇降台を係合させるのに使用するためのガイドシューであって、
前記エレベータ昇降台を前記ガイドワイヤに係合するように機能する開口を形成し複数の部品に分解可能な開口形成部であって、前記開口を形成する複数の部品の少なくとも１つの部品を前記ガイドワイヤの周囲で分解して、前記ガイドシューを前記ガイドワイヤに連結または脱着可能である、開口形成部と、
前記エレベータ昇降台に固定される取付部を有する固定部と、
前記開口形成部と前記固定部とを結合する弾性固定部材とを備える
ワイヤフィックス。
【請求項２０】
前記弾性固定部材は、ボルトの締め付けによって付勢されたバネを含む請求項１９記載のワイヤフィックス。
【請求項２１】
前記開口における開口形成部の両端は、先端に向けて拡開したフレア形状に形成されている請求項１９または２０記載のワイヤフィックス。
【請求項２２】
前記開口は、一部が開放されたＣ形状に形成されている請求項１９から２１のいずれか１項記載のワイヤフィックス。
【請求項２３】
ガラス繊維入りナイロンによって形成されている請求項１９から２２のいずれか１項記載のワイヤフィックス。
【考案の詳細な説明】
【技術分野】
【０００１】
背景
エレベータおよびエレベータプラットフォームを安定させるための多くの技術が、現在実施されている。例えば、ウインドタワーの例において、Ｐｏｗｅｒ  Ｃｌｉｍｂｅｒ  Ｗｉｎｄ，Ａｖａｎｔｉ，Ｔｒａｃｔｅｌ，Ｇｒｅｉｆｚｕｇ等の企業および他のものが技術開発している。このような技術は、典型的には、タワー全長にわたってエレベータを垂直移動させる際に、少なくとも２つの垂直に配列され、張設ガイドワイヤを使用することによりガイドする。この場合、ガイドワイヤは、典型的には、エレベータの両側に配置され、垂直運動を制限しないが、横方向および回転運動を防止しまたは制限するような様式で、エレベータに連結される。典型的には、ウインドタワーは、高さが２００〜４００フィートであり、タワーを全長にわたって配置された中間踊り場を含む場合がある。このような踊り場には、一般的に、開口が設けられる。この開口を、エレベータが通過することができ、ガイドワイヤは、踊り場において各開口のワイヤフィックス内に定位され、タワーの上部および底部に定位されて、踊り場の開口を通して、エレベータを衝突なしにガイドする。各ガイドワイヤにおける張力は、エレベータに強力な水平安定力を提供して、ワイヤフィックス位置間の望ましくない運動を制限するために、５００〜１０００重量ポンド（ｌｂｓ  ｆｏｒｃｅ）の範囲にある場合がある。
【０００２】
下記開示において、「ガイドワイヤ」という用語は、エレベータの経路を制限するのに使用されるワイヤを包含する。「ガイド部品」という用語は、ガイドワイヤに接続するためにエレベータに取り付けられる装置を包含する。「ワイヤフィックス」という用語は、ガイドワイヤに取り付けられた定位装置を包含する。
【０００３】
概要
本考案の１つの図示の実施形態によれば、タワーまたはビルなどの建物に備え付けられた物体の垂直運動を安定させるためのシステムは、少なくとも１つの静的ガイドと、静的ガイドに近接させられた物体に取り付けられた少なくとも１つの第１の収容部とを含む。加えて、静的ガイドに連結された少なくとも１つのさらなる収容部は、第１の収容部を通過可能である。さらに、さらなる収容部は、取付構造体に対して固定された関係で静的ガイドを維持するように配設されており、さらなる収容部は、そのままの状態での取付けのために配設されている。
【０００４】
したがって、本明細書に記載された図示の実施形態では、ワイヤフィックスの形態にあるさらなる収容部の設計および使用に関する従来技術の制限が解決される。例えば、典型的には、垂直運動のための物体、例えば、横方向運動を制限するように一致して機能する固定された静的ガイド、例えば、ガイドワイヤに沿って垂直に移動するエレベータカーは、取り付けられた第１の収容部、例えば、ガイド部品を有する。ガイドワイヤが、ワイヤフィックスを使用して、例えば、踊り場において、一定長のガイドワイヤに近接して建物に連結された場合、エレベータにあるガイド部品は、エレベータの安定性を維持しながら、妨害または中断なしに、ワイヤフィックスを変化させるように構成される。
【０００５】
従来技術には、ワイヤフィックスおよびガイド部品の種々の実施が開示されている。既存の実施の特定の制限のために、ワイヤフィックスを、それにガイドワイヤが通されたままで交換するのは困難である。本考案の図示の実施形態では、ガイドワイヤの張力を緩めることなく、そのままの状態で取り付けしまたは取り外すことにより、サービス時間を短縮しかつコストを下げ、ガイドワイヤ張設に対する妨害を除去することによりシステムの信頼性を維持することができる、ワイヤフィックスが利用されている。
【０００６】
例えば、ワイヤフィックスは、タワーの上部固定部と下部固定部との間で張られた一定長のガイドワイヤ間で着脱可能に連結される。ワイヤフィックスは、ガイドワイヤが通過する溝を有し、ワイヤフィックスは、ガイドワイヤを張力緩和する（ｄｅ−ｔｅｎｓｉｏｎｉｎｇ）必要なしに、ガイドワイヤから取り外すことができる。
【０００７】
ワイヤフィックスは、張設ガイドワイヤ周囲で溝が開いて、ワイヤフィックスをガイドワイヤに連結しまたは脱着することができように構成することができる。例えば、ワイヤフィックスは、ワイヤフィックスをガイドワイヤに連結しまたは脱着するために、溝を開くように分離することができる２つの半割を含むことができる。別の例では、溝部は、張設ガイドワイヤを受容するために溝に形成された開口を有する１部品で形成することができる。
【図面の簡単な説明】
【０００８】
前述の概要および好ましい実施形態の下記詳細な説明は、添付の図面と併せて読むとより良く理解される。例証の目的で、図面中に、例示的な実施形態が示されている。ただし、本開示は、開示された特定の方法および実施に限定されない。
【図１Ａ】ウインドタワーエレベータカーの一例を示す図である。
【図１Ｂ】ガイド部品を含むエレベータの概略図である。
【図２】ガイドワイヤとワイヤフィックスとの取付けを示す図である。
【図３Ａ】ワイヤフィックスとガイド部品とを示す図である。
【図３Ｂ】ワイヤフィックスとガイド部品とを示す図である。
【図４】ワイヤフィックスとガイド部品とを示す図である。
【図５Ａ】本考案の図示の実施形態によるワイヤフィックスとガイド部品とを示す図である。
【図５Ｂ】本考案の図示の実施形態によるワイヤフィックスとガイド部品とを示す図である。
【図５Ｃ】本考案の図示の実施形態によるワイヤフィックスとガイド部品とを示す図である。
【図６】本考案の図示の実施形態によるワイヤフィックスとガイド部品とを示す図である。
【図７Ａ】本考案の図示の実施形態によるワイヤフィックスの概略図である。
【図７Ｂ】本考案の図示の実施形態によるワイヤフィックスの概略図である。
【図８】本考案の態様に係るワイヤフィックス３０の別の実施形態を示す図である。
【図９Ａ】本考案の図示の実施形態によるワイヤフィックスの概略図である。
【図９Ｂ】本考案の図示の実施形態によるワイヤフィックスの概略図である。
【図１０】別の実施形態のガイドワイヤとワイヤフィックスとガイド部品（ガイドシュー）とを備えた安定化システム（エレベータシステム）の実装状態の例を示す図である。
【図１１】別の実施形態のガイドワイヤとワイヤフィックスとガイド部品（ガイドシュー）とを備えた安定化システム（エレベータシステム）の実装状態の例を示す図である。
【図１２】ワイヤフィックスの実装状態の例を示す図である。
【図１３】ワイヤフィックスを構成する半割プレートの斜視図である。
【図１４】ワイヤフィックスを構成する半割プレートの６面図である。
【図１５】ガイドシューの斜視図である。
【図１６】ガイドシューの上面図である。
【図１７】ガイドシューの底面図である。
【図１８】ガイドシューの側面図である。
【図１９】ガイドシューの正面図である。
【０００９】
図示の実施形態の詳細な説明
特定の具体的な実施形態が、本考案の種々の実施形態の十分な理解を提供するために、下記説明および図面において説明されている。多くの場合エレベータに関連する特定の周知の詳細は、本開示の種々の実施形態が不必要に不明瞭になるのを避けるために、下記開示では説明されていない。さらに、当業者であれば、以下に記載された１つ以上の詳細にかかわらず、本開示の他の実施形態を実施することができることを、理解するであろう。最後に、種々の方法が、下記開示において、工程および順序に言及して記載されているが、その記載自体は、本開示の実施形態の明確な実施を提供するためのものであり、工程および工程の順序は、本開示を実施するのに必要であると解釈されるべきではない。
【００１０】
図１Ａに、建物、例えば、ウインドタワー中の典型的なエレベータ１００の設備を図示する。エレベータ１００は、典型的には、エレベータカー１に連結されている牽引巻上機構１０５を有する。巻上機構１０５は、減速ギヤボックス（図示せず）を介して、シーブ１０３に連結しており、シーブ１０３を回転駆動させる、電気モータ１２０を有する。ここでは、牽引巻上機が、エレベータの動作を例証するのに使用されているが、ドラム型巻上機を使用することもできる。
【００１１】
電源（図示せず）は、電気モータに選択的に連結される。電源の電気モータ１２０への選択的な適用により、シーブ１０３が、時計回りまたは反時計回り方向に回転する。エレベータカー１は、固定吊下げワイヤ１０４に、シーブ１０３周囲を巻くことにより連結されている。吊下げワイヤ１０４は、固定構造部材１０６に固定されている。したがって、電気モータ１２０が、シーブ１０３を回転させると、シーブ１０３の回転により、エレベータカー１が、回転方向に応じて、吊下げワイヤ１０４を効果的に上下させる。
【００１２】
図１Ｂに、エレベータカー１の一部をさらに示す。ガイド部品２は、エレベータカー１の側面に取り付けられて示される。このスタイルのガイド部品は、一般的に使用されている。ガイド部品２は、エレベータカー１がタワーまたはビルなどの建物中を垂直に移動する際に、それに安定性を提供するために、エレベータカー１の側面に取り付けられる。一定数、通常、２つのガイド部品２が、エレベータカー１の両側面に取り付けられる。典型的には、ガイド部品２は、十分な安定性を提供するために、エレベータカー１の上部および底部に向かって配設される。静的張設ガイドワイヤ３は、ガイド部品２を通過するように配設され、ガイド部品２と共に、エレベータカー１の横方向移動を制限するのに機能する。
【００１３】
図２を参照して、ワイヤフィックス４は、ブラケット５で取り付けられている。さらに、ブラケット５は、構造体、例えば、ウインドタワーの踊り場６に取り付けられている。ワイヤフィックス４は、垂直移動および踊り場６を通る移動の間に、エレベータカー１について規定された経路を提供するために、ガイドワイヤ３を踊り場６における固定位置に保持するように機能する。このスタイルのワイヤフィックスは、一般的に使用されている。
【００１４】
図３Ａを参照して、エレベータカー１に取り付けられているガイド部品２におけるスロット７は、エレベータカー１が垂直移動している間に、ワイヤフィックス４の（図３Ｂの）トング８がワイヤフィックス４および踊り場６を通過する経路を提供する。具体的には、ガイド部品２におけるスロット７は、ガイドワイヤ３の直径より小さい開口を有することにより、ガイドワイヤ３をガイド部品２に拘束する。
【００１５】
図４を参照して、代替的なガイド部品９が記載されている。この場合、ワイヤフィックス４が、ガイド部品９の間を移動している。このスタイルのガイド部品は、一般的に使用されている。
【００１６】
ワイヤフィックス４の特徴は、取り付け中にガイドワイヤ３をワイヤフィックス４に通す必要があることであり、ワイヤフィックス４を交換する必要がある場合、ついで、ガイドワイヤ３を張力緩和する必要があり、ワイヤフィックス４を、ガイドワイヤ３の再張設の前に、ガイドワイヤ３に通す必要がある。これは都合が悪く、交換サービスが比較的複雑になり、時間がかかる。
【００１７】
図１、２、３および４を参照して記載されたワイヤフィックスおよびガイド部品は、公知であり、商業的に使用されていることが留意される。
【００１８】
（第１の実施形態）
図５〜９を参照して記載された実施形態は、ガイドワイヤ３の張力緩和なしに、ワイヤフィックスをガイドワイヤ３に取り付け可能な、ワイヤフィックスの実施形態を図示する。これに関して、各実施形態では、ワイヤフィックスを、そのままの状態で取り付けるまたは交換することができる。このようなワイヤフィックスの利点は沢山ある。１つの特定の利点は、エレベータ装置を著しく妨害することなく、ワイヤフィックスの修理を行えるようになることである。
【００１９】
特に、各ワイヤフィックスは、一定長のガイドワイヤ３に連結される際、溝５２（図９参照）がワイヤフィックスの一部または端部に形成される、構成要素を共有する。さらに、ワイヤフィックスは、取付点５３（図９参照）を、ワイヤフィックスの別の端部に有する。これにより、ワイヤフィックスは、ブラケットまたはワイヤフィックスをタワーの固定要素に連結する別の構造体に取り付けることができる。溝５２は、上部固定部またはタワーの上部付近の構造体と下部固定部またはタワーの底部付近の構造体との間で張設された、一定長のガイドワイヤ上で開くことができる、機構をさらに有する。この方法において、ワイヤフィックスを、ガイドワイヤを張力緩和する必要なしに、ガイドワイヤから脱着させまたはガイドワイヤに連結させることができる。
【００２０】
図５Ａ、図５Ｂおよび図５Ｃに、本考案の実施形態に係るワイヤフィックス１０を示す。この実施形態では、ワイヤフィックス１０は、そのままの状態でガイドワイヤ３上に通すことができる粗いピッチのばねとして構成されている。ワイヤフィックス１０は、関連するクランププレート１１および適切なブラケット（図示せず）により、踊り場６に取り付けることができる。ばね屈曲５０のピッチは、ばね屈曲５０をガイドワイヤ３上に嵌めるのに操作可能なように選択されまたは代替的に、嵌合可能なように十分に伸ばすことができる。
【００２１】
図６に、本考案の態様に係り、ガイドワイヤ３のための収容部を提供するために、図示のように形成された折り畳み型構造として構成されている、ワイヤフィックス１３の代替的な実施形態を示す。踊り場６への取付けのためのボルト孔６０が提供されている。ワイヤフィックス１３は、２つのリーフ１５を十分に開き、リーフ１５を閉じる前に突起１４内にガイドワイヤ３を押し込むことにより、そのままの状態でガイドワイヤ３に取り付けることができる。その後、リーフ１５を、踊り場６において、適切なブラケットに取り付けることができる。
【００２２】
図７に、ワイヤフィックス２７の別の実施形態を示す。この実施形態では、ワイヤフィックス２７は、ガイドワイヤ３のための収容部を提供するために、図示のように形成された２つの半割プレート２０、２１として構成されている。ボルト孔６０は、例えば、必須ではないが、ブラケット２６を使用することによる、踊り場６への取付けを提供する。負荷が掛かった際の半割プレート２０、２１間の位置関係の安定性を改善するために、各半割プレート２０、２１は、ガイドワイヤ３の収容部を確保するためのスロット２４において噛み合いかつロックする、ロックタブ２３を含むことができる。コストをさらに下げ、組み立てを単純にするために、各半割プレート２０、２１は、同一のピースとして製造することができ、必要に応じて、補強リブ２５を付けて製造することができる。半割プレート２０、２１間の位置関係を改善するために、フランジ２２を含ませることができる。
【００２３】
図８に、本考案の態様に係るワイヤフィックス３０の別の実施形態を示す。ワイヤフィックス３０は、ガイドワイヤ３の収容部を提供するために、図示のような１部品として構成されている。ワイヤフィックス３０をガイドワイヤ３に載せるために、開口３１が、ガイドワイヤ３周囲に配置されており、ワイヤフィックス３０は、ガイドワイヤ３が部分的な管構造３２、３３と同軸であることにより、収容されるように回転される。部分的な管構造３２、３３は、部分的な管構造３２、３３の未充填部分として表された開口がガイドワイヤの直径未満であるように形成することができる。したがって、ワイヤフィックス３０が回転させられて、ガイドワイヤ３に載せられると、ガイドワイヤ３を受容するように曲がることにより、さらなる保持力を提供する。エレベータカー１がワイヤフィックス３０を通って垂直に移動する際に、テーパー３４、３５を、ワイヤフィックス３０のガイド部品２への進入を容易にするのに含めることができる。
【００２４】
図９Ａおよび図９Ｂに、本考案の態様に係るワイヤフィックス４０の別の実施形態を示す。この実施形態では、ワイヤフィックス４０は、２つの半割ピース４１として構成されている。好ましくは、必須ではないが、各半割ピース４１は実質的に同一であり、成型材料、例えば、ガラス充填ナイロン製であってもよい。
【００２５】
ガイドワイヤ３の収容部を提供するために、フィンガー４２は先細になっている。これにより、ワイヤフィックス４０に組み立てられた際に、フィンガー４２は、同一の補完的な空間４２ａに噛み合うことにより、移動および分離を防止するためのロック機能を提供する。
【００２６】
この実施形態では、ワイヤフィックス４０をガイドワイヤ３に載せるために、２つの半割ピース４１を、一方の半割ピース４１のフィンガー４２の１セットの先端が他方の半割ピース４１の根本４３と整列するように整列させることができる。その後、半割ピース４１は、ガイドワイヤ３が形成された円筒状セクション４４内に同軸的に位置することができるように「Ｖ」字型に開くことができる。さらに、フィンガー４２の相対的な位置決めは、「Ｖ」字型を閉じると、フィンガー４５が整列した際に、４０として示された構造が達成されるようになされる。
【００２７】
半割ピースは、支持構造体にクランプするための孔またはスロット４６を含み、場合により、ピン４７および孔４８を含むことができる。これにより、組み立てられた際に、整列および閉鎖の維持が確保される。ワイヤフィックス４０は、半割ピース４１の向きから第２の半割ピースの図面の平面における水平軸を中心とする１８０度回転および孔４８を第２の半割ピースのピン４７と一体化させることにより形成される。
【００２８】
付加的な構造、例えば、フランジ４９を、スナップフィットを提供するために、フィンガー４２の隣接表面の補強および成形のために付加することができる。
【００２９】
上記されたワイヤフィックスの実施形態は、エレベータの元からの構成の一部として使用することができまたは既存の構造への追加導入として使用することができる。いずれの場合にも、サービスパーソンは、ワイヤフィックスをタワー構造体に、例えば、プラットフォームまたは他の固定構造体への取付けにより取り付けるであろう。最初に、ワイヤフィックスの溝を、ガイドワイヤ周囲で開く。１部品のワイヤフィックス、例えば、図５および図８の実施形態の場合には、ガイドワイヤは、溝中の開口に配置され、溝部は、ガイドワイヤ周囲でねじられる。例えば、図７および図９（および２つのリーフを有する場合には図６）で図示されたように、ワイヤフィックスが２つの部品を有する場合、ガイドワイヤは溝に配置され、２つの部品は共にガイドワイヤ周囲の開口を閉じる。その後、取付点は、タワー構造体または次にタワー構造体に固定されている構造体、例えば、プラットフォームに固定される。
【００３０】
（第２の実施形態）
図１０および図１１は、別の実施形態のガイドワイヤ３とワイヤフィックス１００とガイド部品（ガイドシュー）２００とを備えた安定化システム（エレベータシステム）の実装状態の例を示す図である。図１０、１１に示すように、エレベータのスイングステージ（エレベータ昇降台）３１０が、安定化システムを用いてビルなどの建物３００の外面に取り付けられている。スイングステージ３１０は、安定化システムの建物３００の外面に沿って昇降する。
【００３１】
ガイドワイヤ３は、建物３００の屋上３０１と底部３０２との間に張設されている。図１１に示すように、ガイドワイヤ３は、第１の位置固定部材３０５によって屋上３０１に位置固定され、第２の位置固定部材３０６によって底部３０２に位置固定されている。ガイドワイヤ３は、建物３００の複数の位置に設けられたワイヤフィックス１００によって、横方向の移動が制限されている。
【００３２】
なお、本実施形態で「外面」は建物の外壁以外の内部の壁面を含み、「屋上」は建物の屋上以外の上部領域の所定部位を含み、「底部」は建物の周辺の地面を含む建物の下部領域の所定部位を含む。すなわち、ガイドワイヤ３は、建物の壁面に沿って上下に配されることができる。
【００３３】
図１０、１１に示すように、建物３００には、２つ以上のガイドワイヤ３がワイヤフィックス１００によって設置され、対応するガイドシュー２００でスイングステージ３１０が固定されることができる。２つ並んで設けられたガイドシュー２００が、２本のガイドワイヤ３およびこれに対応するワイヤフィックス１００の２つの軸に沿って移動する。この場合、例えば２本のガイドワイヤ３を建物に設置するためのワイヤフィックス１００の間隔とスイングステージ３１０に固定された２つのガイドシュー２００の間隔とが一致していることが望ましい。すなわち、ガイドシュー２００のそれぞれが２つのワイヤフィックス１００を同時に通過するように調整されていることが好ましい。
【００３４】
図１２はワイヤフィックス１００の実装状態の例を示す図である。ワイヤフィックス１００は、ガイドワイヤ３のための収容部を提供するために、図示のように形成された２つの半割プレート１０１、１０２として構成されている。２つの半割プレート１０１、１０２として構成されていることにより、ガイドワイヤ３の張力を緩めることなく、ワイヤフィックスを交換することができる。
【００３５】
コストをさらに下げ、組み立てを単純にするために、各半割プレート１０１、１０２は、同一のピースとして製造することができる。この場合、ワイヤフィックス１００は、例えば、建物３００に固定されたブラケット１０３をさらに有する。ボルト穴６０は、建物３００に固定されたブラケット１０３を２つの半割プレート１０１、１０２に固定するために用いられ、建物３００への取り付けを提供する。ブラケット１０３は、半割プレート１０１、１０２の一方と一体形成されていてもよい。
【００３６】
図１３、図１４は、それぞれ、ワイヤフィックス１００を構成する半割プレート１０１、１０２の斜視図と６面図である。図１３および図１４に示すように、ワイヤフィックス１００を構成する半割プレート１０１、１０２は、それぞれ同一のピースとして製造することができる。各半割プレート１０１、１０２は、互いに噛み合うことによってガイドワイヤ３の収容部を確保するための継手１０４を有している。この設計により、２つの半割プレート１０１、１０２をボルトなどで固定することでガイドワイヤ３の横方向の移動を制限することができる。その結果、ガイドワイヤ３が横方向に揺らがなくなる。
【００３７】
図１５から図１９は、ガイド部品として用いられるガイドシュー２００の構成例を示す図である。図１５はガイドシュー２００の斜視図であり、図１６はガイドシュー２００の上面図であり、図１７はガイドシュー２００の底面図であり、図１８はガイドシュー２００の側面図であり、図１９はガイドシュー２００の正面図である。図１５から図１９のガイドシュー２００は、その上面側においてガイドワイヤ３およびワイヤフィックス１００と係合し、その底面側においてスイングステージ３１０に取り付けられる。
【００３８】
図１５から図１９に示すガイドシュー２００は、上部２１０の上部部材２２０、２３０の下面と下部２５０の下部部材２６０の上面とが弾性固定部材２４０によって結合されて構成される。ガイドシュー２００は、下部部材２６０の下面においてボルト２６１などの固定手段によりスイングステージ３１０に固定される。ガイドシュー２００の上部２１０は、対称な形状の２つの上部部材２２０、２３０がナット２１１およびボルト２１２などの固定手段によって固定されて構成されている。
【００３９】
上部部材２２０、２３０は、組み立てられた状態でガイドワイヤ３およびワイヤフィックス１００が通過するための貫通開口２１３を形成する。貫通開口２１３における上部部材２２０、２３０の両端は、先端に向けて拡開したフレア形状に形成されている。貫通開口２１３は、正面から見ると、一部が開放されたＣ形状に形成されている。
【００４０】
ガイドシュー２００は、上部部材２２０、２３０を分解した状態でガイドワイヤ３およびワイヤフィックス１００に装着できる。例えば、上部部材２２０、２３０のうちの一方の固定（２１２、２１１、２４０）を取り外して、ガイドワイヤ３およびワイヤフィックス１００に装着できる。スイングステージ３１０との固定をすべて取り外さずにガイドワイヤ３およびワイヤフィックス１００との係合から解放できる。
【００４１】
ガイドシュー２００の上部部材２２０、２３０および下部部材２６０を結合する弾性固定部材２４０はボルト２４１の締め付けによって付勢されたバネ２４２を含み、上部部材２２０、２３０の両端の貫通開口２１３がフレア状になっている。この構成によって、その軸方向が完全に位置合わせされていない可能性があるワイヤフィックス１００が貫通開口２１３をスムーズに通過することができる。その結果、ワイヤフィックス１００およびガイドシュー２００の位置ずれやガイドワイヤ３の張力不足によって、スイングステージ３１０が上昇または下降する際に、ガイドワイヤ３が傾斜してワイヤフィックス１００およびガイドシュー２００が互いに損傷することを防ぐことができる。
【００４２】
ガイドシュー２００の上部部材２２０、２３０および下部部材２６０を結合する弾性固定部材２４０はボルト２４１の締め付けによって付勢されたバネ２４２を含み、上部部材２２０、２３０の両端の貫通開口２１３は、正面から見ると、一部が開放されたＣ形状に形成されている。この構成によって、スイングステージ３１０上のワイヤシュー２００およびそれに対応するワイヤフィックス１００が、それぞれの軸が一致するように完全に位置合わせされていない場合や互いの取り付け間隔が一致していない場合でも、複数の軸である程度の柔軟性があり、ワイヤフィックス１００を通過することが容易になる。バネ２４２は、機能する場合、不完全な間隔と位置合わせを許容するために、わずかな機械的傾斜を補正することができます。
【００４３】
ガイドシュー２００の材料は、ガイドワイヤ３およびワイヤフィックス１００に対する長期にわたる摩耗に耐えるガラス繊維入りナイロンとすることができる。
【００４４】
上記されたワイヤフィックスの実施形態は、エレベータの元からの構成の一部として使用することができまたは既存の構造への追加導入として使用することができる。いずれの場合にも、サービスパーソンは、ワイヤフィックスを建物に、例えば、ビルまたは他の固定構造体への取付けにより取り付けるであろう。２つの部品を有するワイヤフィックス、例えば、図１２から図１４の実施形態の場合には、最初に、ワイヤフィックスの溝（２つの部品の継手１０４によって形成される空間）を、ガイドワイヤ周囲で開く。ガイドワイヤは溝に配置され、２つの部品は共にガイドワイヤ周囲の開口を閉じる。その後、取付点は、建物または次に建物に固定されている構造体、例えば、プラットフォームに固定される。
【００４５】
上記されたガイドシューの実施形態は、エレベータの元からの構成の一部として使用することができまたは既存の構造への追加導入として使用することができる。いずれの場合にも、サービスパーソンは、ガイドシューをエレベータ昇降台に、例えば、スイングステージまたは他の構造体を介した取付けにより取り付けるであろう。複数の部品を有するガイドシュー、例えば、図１５から図１９の実施形態の場合には、最初に、ガイドシューの開口（貫通開口）を形成する２つの部品のうちの一方の部品を分解することにより、ガイドワイヤ周囲で開く。ガイドワイヤは開口に配置され、その後、分解した部品は、エレベータ昇降台または次にエレベータ昇降台に固定されている構造体、例えば、スイングステージまたは他の移動構造体に固定されたガイドシューの一部品に固定される。
【００４６】
本明細書に記載された本考案のワイヤフィックスの使用は、既存のエレベータへの付加部品としても利用することができる。例えば、さらなる横方向支持が必要な場合、ワイヤフィックスを、ガイドワイヤの既存の張力を損なうことなく加えることができる。
【００４７】
前述の説明は、図面および例示を使用することにより、装置および方法の種々の実施形態を説明してきた。本開示は、種々の図の好ましい実施形態に関連して記載されているが、他の類似する実施形態を使用することができまたは本開示を逸脱することなく、本開示の同じ機能を行うために、修飾および付加を記載された実施形態に行うことができると理解されたい。さらに、本明細書に記載された本考案の態様は、各種の用途を有すると強調されるべきである。例えば、本考案の態様は、垂直輸送に使用されるエレベータに関するが、エレベータおよび傾斜した乗り物、例えば、山腹に配設されたケーブルカーに使用される他の機構に同様に適用される。
【図１Ａ】
0003227044.tif 000003
【図１Ｂ】
0003227044.tif 000004
【図２】
0003227044.tif 000005
【図３Ａ】
0003227044.tif 000006
【図３Ｂ】
0003227044.tif 000007
【図４】
0003227044.tif 000008
【図５Ａ】
0003227044.tif 000009
【図５Ｂ】
0003227044.tif 000010
【図５Ｃ】
0003227044.tif 000011
【図６】
0003227044.tif 000012
【図７Ａ】
0003227044.tif 000013
【図７Ｂ】
0003227044.tif 000014
【図８】
0003227044.tif 000015
【図９Ａ】
0003227044.tif 000016
【図９Ｂ】
0003227044.tif 000017
【図１０】
0003227044.tif 000018
【図１１】
0003227044.tif 000019
【図１２】
0003227044.tif 000020
【図１３】
0003227044.tif 000021
【図１４】
0003227044.tif 000022
【図１５】
0003227044.tif 000023
【図１６】
0003227044.tif 000024
【図１７】
0003227044.tif 000025
【図１８】
0003227044.tif 000026
【図１９】
0003227044.tif 000027